(57)【特許請求の範囲】
【請求項１】
地毛に取り付ける付け毛であって、次の各要素を備える付け毛。
（Ａ）複数の線状の付け毛材料を束ね、一方の第１端の側から反対側の第２端に向かって軸線方向に走る付け毛本体
（Ｂ）その付け毛本体の第１端の側に位置し、その第１端の先端から所定距離にわたる部分であり、前記複数の線状の付け毛材料を一体に結合した根本部分
（Ｃ）その根本部分に支持した弾性リングであり、直径方向の一方が前記根本部分に支持され、直径方向の他方が前記付け毛本体の軸線から最も離れたところに位置するよう、弾性リング自体が付け毛本体と交差した弾性リング
【請求項２】
前記地毛は、人あるいはペットの地毛である、請求項１の付け毛。
【請求項３】
前記根本部分は、接着剤で一体に結合され、前記の所定距離は、前記弾性リングの直径と同程度の大きさである、請求項１の付け毛。
【請求項４】
前記弾性リングは、地毛に絡みつかない程度の小さな摩擦係数をもつ輪ゴムである、請求項１の付け毛。
【請求項５】
前記付け毛本体は、ｎ（正の整数）本の線状の付け毛材料を二つ折りにした２ｎ本からなり、しかも、二つ折りにした一方のｎ本の付け毛材料ともう一方のｎ本の付け毛材料との間に、前記弾性リングを挟み込むように支持する、請求項１の付け毛。
【請求項６】
前記付け毛本体の軸線に対する弾性リングの交差角度は、８０°〜１１０°である、請求項１の付け毛
【発明の詳細な説明】
発明の属する技術分野
【０００１】  この発明は、人だけでなく、犬や猫などのペット類の地毛にも取り付けることができる付け毛、いわゆるエクステンションに関し、特には、付け毛の取付けや取外しを簡易にする点で大変有効な技術に関する。
発明の背景
【０００２】  たとえば、人における頭部の増毛や装飾のために、地毛にこの種の付け毛を取り付ける。付け毛は、基本的に、線状の付け毛材料を複数束ねた形態である。そのような付け毛の取付け方法として、各種の方法が知られている。最も一般的な方法は、付け毛を接着剤で地毛に取り付ける方法である。しかし、その方法では、接着剤で地毛（髪の毛）を傷めるし、付け毛の取外しが困難である。特許文献１は、接着剤を不要にするため、付け毛を地毛に編み込むようにしている。編込みは、取付けのための部品や材料を用いない手法であり、部品などに起因する問題を生じることはない。その反面、編込みによる取付け作業は面倒であり、時間がかかる。また、取外しも簡単にはできない。
【０００３】
【特許文献１】：特開２００４−１００１２８号
地毛と付け毛とをチューブあるいは管状の部品を用いて連結し、互いに取り付ける方法もある。特許文献２は、チューブの内部孔に一端から地毛、他端から付け毛をそれぞれ通し、チューブを熱収縮させることによって、地毛と付け毛とを連結することを示している。
【０００４】
【特許文献２】：特開２００４−２３２１４７号
しかし、このようなチューブは、細かい部品であるし、付け毛とは別体でもあるため、それ自体の取扱いが面倒であるし、また、付け毛や地毛をその中に入れることも大変である。
【０００５】  その点、部品の取扱いを容易にするため、チューブのような取付け部品を予め付け毛の一端に取り付けておくことが考えられる。特許文献３は、その考え方、すなわち、取付け部品である管体と付け毛とを一体とし、付け毛の端に設けた管体の内部孔に地毛を通すことによって、付け毛を地毛に取り付けるようにしている。
【特許文献３】：特開２００４−６５９２１号
【発明の開示】
【発明が解決しようとする課題】
【０００６】  発明者は、付け毛に取付け部品を予め一体に設けておくことに着目した。それによって、取付け部品の取扱いを容易にすることができるからである。しかし、今までのようなチューブや管体のような細長い取付け部品では、その内部孔に地毛を通すことがかなり困難である。専用の補助具を用いたとしても、付け毛をだれもが簡単に取り付けることができるとは言い難い。また、細長い取付け部品に通した地毛を引き抜いて外すことも容易ではないだろう。
そこで、この発明は、付け毛の取付けおよび取外しを簡易に行うことができる技術を提供することを目的とする。
また、この発明は、取付けが簡単である上、安全であり、人だけでなくペット類にも有効に適用することができる技術を提供することを他の目的とする。
この発明のその他の目的は、以下の説明から明らかになるであろう。
【課題を解決するための手段】
【０００７】  この発明では、付け毛側に一体にする取付け部品として、輪ゴムなどの弾性リングを用い、しかも、その弾性リングを特定の形態で付け毛側に支持する。弾性リングは、たとえば直径が１〜２ｃｍと比較的大きな孔を備え、厚さはたとえば１ｍｍほどであり、径に比べて厚さが非常に小さい。したがって、弾性リングが弾性変形することも相俟って、その弾性リングを地毛に連結することは容易である。しかも、この発明では、付け毛の軸線中心と弾性リングの中心とを偏心させることによって、付け毛の取付け作業をしやすくしている。付け毛と地毛との各中心が偏心していることは、付け毛を地毛に取り付けるとき、付け毛を地毛に並行あるいは平行させて作業を行うからである。【０００８】  この発明の付け毛は、次の各要素を備えている。
（Ａ）複数の線状の付け毛材料を束ね、一方の第１端の側から反対側の第２端に向かって軸線方向に走る付け毛本体
（Ｂ）その付け毛本体の第１端の側に位置し、その第１端の先端から所定距離にわたる部分であり、前記複数の線状の付け毛材料を一体に結合した根本部分
（Ｃ）その根本部分に支持した弾性リングであり、直径方向の一方が前記根本部分に支持され、直径方向の他方が前記付け毛本体の軸線から最も離れたところに位置するよう、弾性リング自体が付け毛本体と交差した弾性リング【０００９】  付け毛本体は、たとえば数１０ｃｍ程度の長さである。その付け毛本体は、人工毛髪、化繊糸、毛糸あるいは動物の毛などを材料として構成することができる。この発明では、付け毛本体の一方の端部に弾性リングを支持するので、付け毛材料を二つ折りにし、二つ折りにした付け毛材料の間に、弾性リングを挟み込むように支持するのが好ましい。複数本の付け毛材料は、弾性リングを支持する側を一体に結合し、全体を束ねるようにする。一体に結合する手段としては、糸やテープで巻くことも考えられるが、シリコンゴムなどの接着剤で固める方法が良い。なお、この接着剤は、付け毛を取り付けるものではないので、前に述べたように、接着剤によって地毛を傷めることはない。
弾性リングの支持については、Ｃに明示するように、支持による形態が特に大事である。弾性リングは、付け毛本体の軸線中心と自らの中心を大きく偏心させた上、付け毛本体の軸線に対し弾性リングの径方向を交差させることが必要である。その交差角度は、付け毛の取付けを容易にするため、好ましくは８０°〜１１０°、最も好ましくは９０°前後にし、付け毛に対し弾性リングがほぼ直交するようにするのが良い。そのため、弾性リングには、ある程度の保形性（つまり、一定の形を保持する特性）をもたせるようにすべきである。たとえば、リングの直径を小さくしたり、また、リングの太さを大きくすることによって、弾性リングの保形性を高めることができるので、それらを変えることによって、充分な保形性を得ることができる。【００１０】  また、弾性リングは、地毛を連結するためのものであるため、地毛に絡みつかない程度の小さな摩擦係数をもつものを選択するのが良い。それに適したものとして、滑りの良い樹脂製あるいは樹脂被覆をしたものを用いるべきである。
なお、付け毛本体については、それ自体の色を変えカラフルな装飾をもたせることもできるし、ピンクやブルーのリボンあるいは他の装飾品を付属させることもできる。
【図面の簡単な説明】
【００１１】［図１］この発明の付け毛の一実施例を示す斜視図である。
［図２］取付けの第１ステップを示す斜視図である。
［図３］取付けの第２ステップを示す斜視図である。
［図４］取付けの第３ステップを示す斜視図である。
【符号の説明】
【００１２】１０  付け毛
２０  付け毛材料
３０  付け毛本体
３１０  根本部分
７０  弾性リング
８０  かぎ針
１００  地毛
【発明を実施するための最良の形態】
【００１３】  図１は、この発明の付け毛の一実施例を示す斜視図であり、付け毛本体の一部を省略して示している。【００１４】  付け毛１０は、たとえば５０〜６０本の付け毛材料２０を二つ折りにし、その根本部分３１０を一体に束ねた付け毛本体３０と、その付け毛本体３０の根本部分３１０に支持した弾性リング７０とを備える。線状の各付け毛材料２０は、人工毛髪、化繊糸、毛糸あるいは動物の毛などのいずれか一つあるいは複数を組み合わせたものである。その色については、黄、ピンク、オレンジ、ブルー、紫、茶など各種の色にすることができる。装飾の点から、メッシュ状に色染めをすることもできる。付け毛材料２０の太さは、好ましくは、髪の毛の太さ相当にするのが良いが、それに限られるわけではない。また、各付け毛材料２０は、たとえば全長が３０〜５０ｃｍであり、二つ折りにした付け毛本体３０は、１５〜２５ｃｍ程である。図１には、付け毛本体３０について、各付け毛材料２０をきれいに整列させた形で示しているが、全体をまとめるように束ねれば良い。付け毛本体３０の根本部分３１０（図１に梨子地状に示す）は、二つ折りにした第１端の端からたとえぱ１ｃｍ程の長さにわたる。ここでは、透明なシリコンゴム（接着剤）を被覆し、その根本部分３１０を一体に結合している。【００１５】  弾性リング７０は、円形状の樹脂製の輪ゴムからなる。その輪ゴムの直径は１ｃｍ程であり、根本部分３１０と同様の大きさである。弾性リング７０を構成する輪ゴムの断面形状は、矩形であり、径方向の厚さが０．５ｍｍ程であり、中心軸方向の厚さが１ｍｍ程である。弾性リング７０は、付け毛本体３０の根本部分３１０の中途に位置し、その全体が付け毛本体３０の軸線方向（長手方向の軸線）にほぼ直交している。【００１６】  このような付け毛１０は、付け毛本体３０の根本部分３１０、特には弾性リング７０の下側に位置する部分を二本の指で挟み込むようにして持つことができる。すなわち、地毛に取り付けるべき付け毛１０を、取付け部品である弾性リング７０を一体に付属した形で取り扱うことができる。【００１７】  付け毛１０を地毛に取り付ける場合、まず、弾性リング７０をかぎ針８０のバーに数回巻き付ける（第１ステップ、図２）。ついで、頭部の地毛１００の適当な部分をブロッキングし、その部分の毛束の根本にかぎ針８０の先端を引っ掛ける（第２ステップ、図３）。そして、巻き付けた弾性リング７０を押し出すようにしてかぎ針８０を引き抜く（第３ステップ、図４）。以上のスリーステップで簡単かつ安全に付け毛１０の取付けを完了する。用いるかぎ針８０としては、かぎ先の開いたものよりもかぎ先が閉じた（別にいうと、かぎ先にふたがある）ものが最適である。一方、地毛１００に取り付けた付け毛１０を取り外す場合には、地毛１００の根本に取り付けた弾性リング７０の部分を持ち、下方向に引き抜けば良く、これも容易である。【００１８】  付け毛１０の取付けは、加熱したりすることもなく安全であり、しかも、わずかな時間で終えることができる。そのため、この発明の付け毛１０は、人だけでなく、犬や猫などのペット類にも適用することができる。ペット類に適用する場合、今までのリボンに変わるワンポイント装飾物として有用である。勿論、付け毛１０に小さなリボンその他を付属させることもできる。
【図１】
0004185934.tif 000002
【図２】
0004185934.tif 000003
【図３】
0004185934.tif 000004
【図４】
0004185934.tif 000005